(57)【特許請求の範囲】
【請求項１】
外部からの騒音を消音する消音信号を発生し、該消音信号をパワーアンプを介して増幅して出力する能動的騒音処理ユニットと、ラジオチューナやカセットデッキその他のオーデオ部からのオーデオ信号をパワーアンプを介して増幅して出力する交換可能なオーデオヘッドユニットとを備え、オーデオヘッドユニットから出力される増幅されたオーデオ信号を能動的騒音処理ユニットに入力したとき、能動的騒音処理ユニットのパワーアンプで増幅されて出力されるオーデオ信号のレベルがオーデオヘッドユニットから出力されるオーデオ信号のレベルと略同一となるようにゲイン調整するバッファアンプと、バッファアンプからゲイン調整されて出力されるオーデオ信号に増幅前の消音信号を重畳させパワーアンプに出力するミキシング手段とを能動的騒音処理ユニット内に設けたことを特徴とする車載用騒音制御装置。
【発明の詳細な説明】
【０００１】
【発明の属する技術分野】
本発明は、外部からの騒音の影響を能動的に除去する車載用騒音制御装置に関する。
【０００２】
【従来の技術】
従来のこの種の車載用騒音制御装置として、国際公開ＷＯ９０／０９６５５号公報により、ラジオチューナやカセットデッキといったオーデオ部から出力されるオーデオ信号を一定のレベルまで増幅し、該増幅されたオーデオ信号に対して能動的騒音処理部からの消音信号を重畳し、該消音信号が重畳されたオーデオ信号を更に増幅してスピーカを鳴動させるようにしたものが知られている。ここで能動的騒音処理部とは、例えば特開平１１−３０８４号公報により知られるように、外部からの騒音を電気信号である騒音信号に変換し、該騒音信号を適応フィルタで処理した信号を制御信号として制御スピーカを鳴動させている。そして制御スピーカからの発音を誤差検出器で電気信号である誤差信号に変換し、適応フィルタを用いて該誤差信号が騒音の変化に追従して常に最小になるように構成されている。
【０００３】
従って、該制御信号を消音信号として騒音処理手段から出力し、上記のようにオーデオ信号に重畳させればスピーカから音楽等が発音された際に消音信号により聴覚上騒音が低減される。
【０００４】
【発明が解決しようとする課題】
上記国際公開公報に記載された車載用騒音制御装置ではオーデオ部、能動的騒音処理部、アンプ類、ミキシング手段等の各構成要素間の接続状態は示されているものの、１つまたは２つ以上の構成要素から構成されるユニットの具体的な構成が示されていない。従って、該国際公開公報に記載されている騒音処理装置を実施する場合には１つのユニットにオーデオ部や能動的騒音処理部その他の各構成要素を内蔵させる構成が想到される。一方、特に自動車に搭載されるラジオチューナやカセットデッキその他のオーデオ部を備えたオーデオヘッドユニットが単品で各種販売されており、ユーザは嗜好等により当初自動車に取り付けられているものを他のタイプのものに交換することが一般に行われている。ところが上記のように１つのユニット内にすべての構成要素を内蔵させておくと、新たなオーデオヘッドユニットに交換できないという不具合が生じる。
【０００５】
そこで本発明は、上記の問題点に鑑み、オーデオヘッドユニットをユーザが交換することのできる車載用騒音制御装置を提供することを課題とする。
【０００６】
【課題を解決するための手段】
上記課題を解決するために本発明は、外部からの騒音を消音する消音信号を発生し、該消音信号をパワーアンプを介して増幅して出力する能動的騒音処理ユニットと、ラジオチューナやカセットデッキその他のオーデオ部からのオーデオ信号をパワーアンプを介して増幅して出力する交換可能なオーデオヘッドユニットとを備え、オーデオヘッドユニットから出力される増幅されたオーデオ信号を能動的騒音処理ユニットに入力したとき、能動的騒音処理ユニットのパワーアンプで増幅されて出力されるオーデオ信号のレベルがオーデオヘッドユニットから出力されるオーデオ信号のレベルと略同一となるようにゲイン調整するバッファアンプと、バッファアンプからゲイン調整されて出力されるオーデオ信号に増幅前の消音信号を重畳させパワーアンプに出力するミキシング手段とを能動的騒音処理ユニット内に設けたことを特徴とする。
【０００７】
該構成によれば、オーデオヘッドユニットを交換しても能動的騒音処理ユニットのパワーアンプにより増幅されて出力されるオーデオ信号のレベルがオーデオヘッドユニット単体の場合の出力信号レベルと略同一となるので、オーデオヘッドユニットを自由に交換することができる。
【０００８】
【発明の実施の形態】
図１及び図２を参照して、１は工場から出荷する時点で自動車Ｃのコンソール近傍に予め取り付けられているオーデオヘッドユニットである。該オーデオヘッドユニット１内にはオーデオ部であるラジオチューナ１１及びカセットデッキ１２が内蔵されている。本実施の形態では内蔵されるオーデオ部はラジオチューナ１１及びカセットデッキ１２の２つであるが、そのほかＣＤプレーヤやＭＤプレーヤ等のその他のオーデオ部と交換し、あるいは追加してもよい。また、一般に市販されているオーデオヘッドユニットは単独でスピーカ３を鳴動できるように内部にパワーアンプを備えている。そこで本実施の形態におけるオーデオヘッドユニット１にもパワーアンプ１３を内蔵させた。
【０００９】
また、運転席シート下には能動的騒音処理ユニットであるＡＮＣユニット（アクティブ・ノイズ・コントロール・ユニット）２を設置した。該ＡＮＣユニット２内には能動的騒音処理部であるＡＮＣコントローラ２１が内蔵されている。該ＡＮＣコントローラ２１は能動的に外部の騒音を消音する消音信号を出力する回路であり、該ＡＮＣコントローラ２１から出力された消音信号はレベルが小さく、スピーカ３を鳴動させるためには所定の大きさまで増幅する必要がある。そのためパワーアンプ２４を内蔵しており、該パワーアンプ２４で増幅された信号がスピーカ３に供給されるように配線されている。
【００１０】
該ＡＮＣユニット２には更にバッファアンプ２３を内蔵させた。該バッファアンプ２３は、バッファアンプ２３、後述のミキシング手段であるミキサ２２、パワーアンプ２４の３つの要素を通って出力される信号の増幅度が略１になるよう、すなわちバッファアンプ２３に入力されるオーデオ信号のレベルと略同じレベルのオーデオ信号がパワーアンプ２４から出力されるようにゲイン調整を行うものである。そして、パワーアンプ２４の上流にミキサ２２を介設し、バッファアンプ２３でレベル調整されたオーデオ信号にＡＮＣコントローラ２１から出力された消音信号を重畳し、パワーアンプ２４に入力するように構成した。このように構成することによりスピーカ３から音楽等と共に騒音を消音する逆位相の騒音が発音され消音効果を得ることができる。また、上述のようにバッファアンプ２３、ミキサ２２、パワーアンプ２４の３つの要素による増幅度が略１になるようにしたので、取り替えられたオーデオヘッドユニットの出力がいかようであっても能動的騒音処理ユニットが接続されていることを意識することなくボリューム操作等を行うことができる。
【００１１】
ところで本実施の形態によるオーデオヘッドユニット１は市販されている多くのオーデオヘッドユニットと同じくパワーアンプ１３を内蔵しており、ユーザがオーデオヘッドユニット１を他のオーデオヘッドユニットに交換する場合に、新たなオーデオヘッドユニットはパワーアンプを内蔵しているものの中から選択することができ、交換後は新たなオーデオヘッドユニットをバッファアンプ２３に配線するだけでよい。
【００１２】
【発明の効果】
以上の説明から明らかなように、本発明は、能動的騒音処理ユニットに、オーデオヘッドユニットからのオーデオ信号のレベルと同じレベルのオーデオ信号が能動的騒音処理ユニットから出力されるようにゲイン調整を行うバッファアンプと、ゲイン調整されたオーデオ信号と消音信号とのミキシングを行うミキサとを内蔵させたので、ユーザはパワーアンプを内蔵している多くの種類のオーデオヘッドユニットの中なら所望するものを選択し自由にオーデオヘッドユニットを交換することができる。そして、交換後は能動的騒音処理ユニットが接続されていることを意識することなくオーデオヘッドユニットのボリューム等を操作することができる。
【図面の簡単な説明】
【図１】車載での本発明の一実施の形態の構成を示す図
【図２】図１における実施の形態の構成を示すブロック図
【符号の説明】
１  オーデオヘッドユニット
２  ＡＮＣユニット（能動的騒音処理ユニット）
３  スピーカ
２２  ミキサ
２３  バッファアンプ
【図１】
0003615983.tif 000002
【図２】
0003615983.tif 000003